(57)【要約】【課題】  より自然な３次元画像を形成可能な液晶表示装置、及び３次元表示装置の３次元画像表示特性、特に視野角表示特性の改善に寄与する光学補償フィルムを提供する。【解決手段】  光源１９と、偏光膜１７と、電極を一方に有する対向配置された一対の基板、及び該基板間に挟持され液晶材料を含む液晶層を有する第１の液晶セル１５と、少なくとも一層からなる第１の光学補償層１４と、電極を一方に有する対向配置された一対の基板、及び該基板間に挟持され液晶材料を含む液晶層を有する第２の液晶セル１３と、をこの順で配置した液晶表示装置である。また、各々が液晶化合物を含有する第１の光学異方性層と第２の光学異方性層とを有する光学補償フィルムであって、該第１および第２の光学異方性層において、前記液晶化合物の分子が、フィルム平面に対する傾斜角が厚さ方向において異なるハイブリッド配向状態に固定化されている光学補償フィルムである。【選択図】  図１
2006293098.tif 000002
【特許請求の範囲】
【請求項１】
各々が液晶化合物を含有する第１の光学異方性層と第２の光学異方性層とを有する光学補償フィルムであって、該第１および第２の光学異方性層において、前記液晶化合物の分子が、フィルム平面に対する傾斜角が厚さ方向において異なるハイブリッド配向状態に固定化されている光学補償フィルム。
【請求項２】
前記第１の光学異方性層に含まれる前記液晶化合物の分子のフィルム平面に対する傾斜角が、前記第２の光学異方性層に遠い側よりも近い側のほうが大きく、前記第２の光学異方性層に含まれる前記液晶化合物の分子のフィルム平面に対する傾斜角が、前記第１の光学異方性層に近い側よりも遠い側のほうが大きい請求項１に記載の光学補償フィルム。
【請求項３】
前記第１の光学異方性層に含まれる前記液晶化合物の分子のフィルム平面に対する傾斜角が、前記第２の光学異方性層に遠い側よりも近い側のほうが大きく、前記第２の光学異方性層に含まれる前記液晶化合物の分子のフィルム平面に対する傾斜角が、前記第１の光学異方性層に遠い側よりも近い側のほうが大きい請求項１に記載の光学補償フィルム。
【請求項４】
前記第１の光学異方性層に含まれる前記液晶化合物の分子のフィルム平面に対する傾斜角が、前記第２の光学異方性層に近い側よりも遠い側のほうが大きく、前記第２の光学異方性層に含まれる前記液晶化合物の分子のフィルム平面に対する傾斜角が、前記第１の光学異方性層に遠い側よりも近い側のほうが大きい請求項１に記載の光学補償フィルム。
【請求項５】
前記第１の光学異方性層に含まれる前記液晶化合物の分子のフィルム平面に対する傾斜角が、前記第２の光学異方性層に近い側よりも遠い側のほうが大きく、前記第２の光学異方性層に含まれる前記液晶化合物の分子のフィルム平面に対する傾斜角が、前記第１の光学異方性層に近い側よりも遠い側のほうが大きい請求項１に記載の光学補償フィルム。
【請求項６】
前記液晶化合物が、ディスコティック液晶化合物である請求項１〜５のいずれか１項に記載の光学補償フィルム。
【請求項７】
前記第１の光学異方性層のフィルム法線方向から測定した面内の遅相軸と、前記第２の光学異方性層のフィルム法線方向から測定した面内の遅相軸とが実質的に平行である請求項１〜６のいずれか１項に記載の光学補償フィルム。
【請求項８】
前記第１の光学異方性層のフィルム法線方向から測定した面内の遅相軸と、前記第２の光学異方性層のフィルム法線方向から測定した面内の遅相軸とが交差している請求項１〜６のいずれか１項に記載の光学補償フィルム。
【請求項９】
少なくとも１層の支持体を含む請求項１〜８のいずれか１項に記載の光学補償フィルム。
【請求項１０】
前記支持体上に、防眩性ハードコート層、防眩性を有さないハードコート層、中屈折率層及び高屈折率層の少なくともいずれか一層と、低屈折率層とをさらに有する請求項９に記載の光学補償フィルム。
【請求項１１】
光源と、偏光膜と、電極を一方に有する対向配置された一対の基板、及び該基板間に挟持され液晶材料を含む液晶層を有する第１の液晶セルと、少なくとも一層からなる第１の光学補償層と、電極を一方に有する対向配置された一対の基板、及び該基板間に挟持され液晶材料を含む液晶層を有する第２の液晶セルと、をこの順で有する液晶表示装置。
【請求項１２】
前記第２の液晶セルのコントラスト比が、前記第１の液晶セルのコントラスト比よりも低い請求項１１に記載の液晶表示装置。
【請求項１３】
前記第２の液晶セルの画素ピッチと、前記第１の液晶セルの画素ピッチとが異なる請求項１１又は１２に記載の液晶表示装置。
【請求項１４】
前記光源の出射光の拡がりが、１５°以上である請求項１１〜１３のいずれか１項に記載の液晶表示装置。
【請求項１５】
前記第１の液晶セルと前記偏光膜との間及び／又は前記第２の液晶セルのさらに外側に、少なくとも一層からなる第２の光学補償層を有し、前記第１の光学補償層と前記第２の光学補償層の面内レターデーション（Ｒｅ）及び厚さ方向のレターデーション（Ｒｔｈ）の少なくとも一方が異なることを特徴とする請求項１１〜１４のいずれか１項に記載の液晶表示装置。
【請求項１６】
前記第１の光学補償層として、請求項１〜１０のいずれか１項に記載の光学補償フィルムを有する請求項１１〜１５のいずれか１項に記載の液晶表示装置。
【発明の詳細な説明】
【技術分野】
【０００１】
本発明は３次元表示可能な液晶表示装置に係り、特に、複数の物体像を重ねて表示する際に、観察者から見て後側に位置する物体像の全部、あるいは一部を消去可能とした液晶表示装置に関する。また、本発明は、３次元表示可能な液晶表示装置の表示特性の改善に寄与する光学補償フィルムに関する。
【背景技術】
【０００２】
複数の液晶表示装置を、観察者から見て異なった奥行き位置に配置することにより、観察者に３次元立体像を表示する３次元表示装置が知られている（下記特許文献１及び２参照）。
【特許文献１】特開２００１−５４１４４号公報
【特許文献２】特許第３３３５９９８号明細書
【発明の開示】
【発明が解決しようとする課題】
【０００３】
前述の特許文献２に記載されている３次元表示装置において、観察者に最も近い透過型表示装置に、例えば、自動車などの動画像を表示し、観察者から遠い透過型表示装置に、背景画像を表示することにより、観察者に奥行きのある画像を提示することが可能である。
しかしながら、前述の特許文献２に記載されている３次元表示装置において、液晶表示素子をその透過型表示素子に用いる場合、観測者にとってある程度の視野角が必要となるが、一般に液晶表示素子はその視野角が狭いという欠点のために、不自然な３次元の画像になるという問題点があった。
例えば、特許文献２に記載されている方法は偏光状態の加法則を巧みに利用している。しかし、観測者にとって右目方向と左目方向の角度が異なるため、その範囲において偏光状態の可法則を成り立たせるためには、理想的には液晶表示装置で発生するリターデーションが一定であること、すなわち一般的に言って視角特性が良いことが望ましい。特に、黒状態あるいは黒近くの表示状態においては画像に与える影響が大きく特に重要となる。
【０００４】
本発明は、前記従来技術の問題点を解決するためになされたものであり、本発明の目的は、観察者から見て異なった奥行き位置に配置される複数の表示用光学素子を備える３次元表示装置において、それに用いた液晶表示素子に光学補償フィルムを用いることで視野角を改善し、特に黒状態におけるリターデーションの補償をすることによって、光学補償フィルムがない場合に比べ、より自然な３次元画像を形成することを目的とする。本発明の他の目的は、３次元表示装置の３次元画像表示特性、特に視野角表示特性の改善に寄与する光学補償フィルムを提供することである。
【課題を解決するための手段】
【０００５】
前記課題を解決するための手段は以下の通りである。
［１］  各々が液晶化合物を含有する第１の光学異方性層と第２の光学異方性層とを有する光学補償フィルムであって、該第１および第２の光学異方性層において、前記液晶化合物の分子が、フィルム平面に対する傾斜角が厚さ方向において異なるハイブリッド配向状態に固定化されている光学補償フィルム。
［２］  前記第１の光学異方性層に含まれる前記液晶化合物の分子のフィルム平面に対する傾斜角が、前記第２の光学異方性層に遠い側よりも近い側のほうが大きく、前記第２の光学異方性層に含まれる前記液晶化合物の分子のフィルム平面に対する傾斜角が、前記第１の光学異方性層に近い側よりも遠い側のほうが大きい［１］の光学補償フィルム。
［３］  前記第１の光学異方性層に含まれる前記液晶化合物の分子のフィルム平面に対する傾斜角が、前記第２の光学異方性層に遠い側よりも近い側のほうが大きく、前記第２の光学異方性層に含まれる前記液晶化合物の分子のフィルム平面に対する傾斜角が、前記第１の光学異方性層に遠い側よりも近い側のほうが大きい［１］の光学補償フィルム。
［４］  前記第１の光学異方性層に含まれる前記液晶化合物の分子のフィルム平面に対する傾斜角が、前記第２の光学異方性層に近い側よりも遠い側のほうが大きく、前記第２の光学異方性層に含まれる前記液晶化合物の分子のフィルム平面に対する傾斜角が、前記第１の光学異方性層に遠い側よりも近い側のほうが大きい［１］の光学補償フィルム。
［５］  前記第１の光学異方性層に含まれる前記液晶化合物の分子のフィルム平面に対する傾斜角が、前記第２の光学異方性層に近い側よりも遠い側のほうが大きく、前記第２の光学異方性層に含まれる前記液晶化合物の分子のフィルム平面に対する傾斜角が、前記第１の光学異方性層に近い側よりも遠い側のほうが大きい［１］の光学補償フィルム。
［６］  前記液晶化合物が、ディスコティック液晶化合物である［１］〜［５］のいずれかの光学補償フィルム。
［７］  前記第１の光学異方性層のフィルム法線方向から測定した面内の遅相軸と、前記第２の光学異方性層のフィルム法線方向から測定した面内の遅相軸とが実質的に平行である［１］〜［６］のいずれかの光学補償フィルム。
［８］  前記第１の光学異方性層のフィルム法線方向から測定した面内の遅相軸と、前記第２の光学異方性層のフィルム法線方向から測定した面内の遅相軸とが交差している［１］〜［６］のいずれかの光学補償フィルム。
［９］  少なくとも１層の支持体を含む［１］〜［８］のいずれかの光学補償フィルム。
［１０］  前記支持体上に、防眩性ハードコート層、防眩性を有さないハードコート層、中屈折率層及び高屈折率層の少なくともいずれか一層と、低屈折率層とをさらに有する［９］の光学補償フィルム。
【０００６】
［１１］  光源と、偏光膜と、電極を一方に有する対向配置された一対の基板、及び該基板間に挟持され液晶材料を含む液晶層を有する第１の液晶セルと、少なくとも一層からなる第１の光学補償層と、電極を一方に有する対向配置された一対の基板、及び該基板間に挟持され液晶材料を含む液晶層を有する第２の液晶セルと、をこの順で配置した液晶表示装置。
［１２］  前記第２の液晶セルのコントラスト比が、前記第１の液晶セルのコントラスト比よりも低い［１１］の液晶表示装置。
［１３］  前記第２の液晶セルの画素ピッチと、前記第１の液晶セルの画素ピッチとが異なる［１１］又は［１２］の液晶表示装置。
［１４］  前記光源の出射光の拡がりが、１５°以上である［１１］〜［１３］のいずれかの液晶表示装置。
［１５］  前記第１の液晶セルと前記偏光膜との間及び／又は前記第２の液晶セルのさらに外側に、少なくとも一層からなる第２の光学補償層を有し、前記第１の光学補償層と前記第２の光学補償層の面内レターデーション（Ｒｅ）及び厚さ方向のレターデーション（Ｒｔｈ）の少なくとも一方が異なることを特徴とする［１１］〜［１４］のいずれかの液晶表示装置。
［１６］  前記第１の光学補償層として、［１］〜［１０］のいずれかの光学補償フィルムを有する［１１］〜［１５］のいずれかの液晶表示装置。
【０００７】
本明細書において、Ｒｅ（λ）、Ｒｔｈ（λ）は各々、波長λにおける面内のリターデーションおよび厚さ方向のリターデーションを表す。Ｒｅ（λ）はＫＯＢＲＡ  ２１ＡＤＨ（王子計測機器（株）製）において波長λｎｍの光をフィルム法線方向に入射させて測定される。Ｒｔｈ（λ）は前記Ｒｅ（λ）、面内の遅相軸（ＫＯＢＲＡ  ２１ＡＤＨにより判断される）を傾斜軸（回転軸）としてフィルム法線方向に対して＋４０°傾斜した方向から波長λｎｍの光を入射させて測定したレターデーション値、および面内の遅相軸を傾斜軸（回転軸）としてフィルム法線方向に対して−４０°傾斜した方向から波長λｎｍの光を入射させて測定したレターデーション値の計３つの方向で測定したレターデーション値と平均屈折率の仮定値及び入力された膜厚値を基にＫＯＢＲＡ  ２１ＡＤＨが算出する。ここで平均屈折率の仮定値は  ポリマーハンドブック（ＪＯＨＮ  ＷＩＬＥＹ＆ＳＯＮＳ、ＩＮＣ）、各種光学フィルムのカタログの値を使用することができる。平均屈折率の値が既知でないものについてはアッベ屈折計で測定することができる。主な光学フィルムの平均屈折率の値を以下に例示する：  セルロースアシレート（１．４８）、シクロオレフィンポリマー（１．５２）、ポリカーボネート（１．５９）、ポリメチルメタクリレート（１．４９）、ポリスチレン（１．５９）である。これら平均屈折率の仮定値と膜厚を入力することで、ＫＯＢＲＡ  ２１ＡＤＨはｎｘ、ｎｙ、ｎｚを算出する。この算出されたｎｘ、ｎｙ、ｎｚよりＮｚ＝（ｎｘ−ｎｚ）／（ｎｘ−ｎｙ）が更に算出される。
【０００８】
また、本明細書において、「遅相軸」は、屈折率が最大となる方向を意味する。また、本明細書において「偏光板」とは、特に断らない限り、長尺の偏光板及び液晶装置に組み込まれる大きさに裁断された偏光板の両者を含む意味で用いられる。また、本明細書では、「偏光膜」及び「偏光板」を区別して用いるが、「偏光板」は「偏光膜」の少なくとも片面に該偏光膜を保護する透明保護膜を有する積層体のことを意味するものとする。
【発明の実施の形態】
【０００９】
以下、図面を参照して本発明の実施の形態を詳細に説明する。なお、本明細書において「〜」を用いて表される数値範囲は、「〜」の前後に記載される数値を下限値及び上限値として含む範囲を意味する。
なお、実施の形態を説明するための全図において、同一機能を有するものは同一符号を付け、その繰り返しの説明は省略する。
［液晶表示装置］
図１は、本発明の一実施形態である３次元表示装置の概略構成を示す模式図である。図１に示す３次元表示装置は、光源１９と、２つの透過型液晶セル１３と１５と、２つの透過型液晶セルとの間に光学補償層１４とを有する。液晶セル１３のより観察者に近い外側には偏光膜１１が、及び液晶セル１５とその背面に配置される光源１９との間には、それぞれの吸収軸を直交にして配置された偏光膜１１及び１７が配置されている。但し、観察者１０により近い位置に配置された偏光膜１１は、観察者が偏光メガネを着用した場合は、省略してもよい。また、光源側偏光膜１７も、光源に偏光機能を持たせることで、省略可能である。
【００１０】
液晶セル１３及び１５の内部にカラーフィルタ（図示せず）を設けたり、液晶セル１３及び１５に表示される２次元像に同期してバックライトの色を変化させるフィールドシーケンシャル駆動することにより、カラー表示を行うことができる。
【００１１】
液晶セル１３及び１５としては、例えば、ツイストネマティック型液晶ディスプレイ、イン・プレイン型液晶ディスプレイ、ホモジニアス型液晶ディスプレイ、強誘電液晶ディスプレイ、ゲスト−ホスト型液晶ディスプレイ、高分子分散型液晶ディスプレイ、ホログラフィック高分子分散型液晶ディスプレイ、垂直配向型（ＶＡ）液晶ディスプレイ、ベンドモード型液晶ディスプレイ、ＯＣＢモード型型液晶ディスプレイ、あるいはこれらの組み合わせなどが使用される。
本実施の形態では、観察者側液晶セル（第２の液晶セル）１３に、例えば、車両などの動画像を表示し、光源側液晶セル（第１の液晶セル）１５に、背景画像を表示することにより、観察者１０に奥行きのある画像を提示することが可能である。例えば、動画像を表示する観察者液晶セル１３のコントラスト比が、背景画像を表示する光源側液晶セルのコントラスト比よりも低いと、２枚の液晶セルによって表示される画像に奥行き感が生じ、より３次元表示に近くなるので好ましい。また、観察者側の液晶セル１３の画素ピッチと、光源側の画素ピッチとが異なると、観察者の両眼視差が補正され、より３次元画像に近くなるので好ましい。この場合、観察者に近いパネルがより大きく見えるため、ピッチも大きいほうが好ましい。
【００１２】
液晶セル１３と１５との間に配置される光学補償層１４は、表示される３次元立体画像を観察者が斜め方向等から観察した場合にも、立体画像が不自然にならない様に、液晶セル１３及び１５を光学補償する。光学補償層１４は、少なくともれ通過する光にレターデーションを発生させる機能を有する層であり、液晶セル１３及び１５の黒表示時のレターデーションを補償可能に設計されているのが好ましい。例えば、光学補償層１４が２層からなる場合は、より液晶セル１３に近い側に配置される層は、液晶セル１３の黒状態のレターデーションの光学補償に寄与し、より液晶セル１５に近い側に配置される層は、液晶セル１５の黒状態のレターデーションの光学補償に寄与する様に設計してもよい。また、図１に示す様に、偏光膜１１と液晶セル１３との間、及び偏光膜１７と液晶セル１５との間にそれぞれ別途光学異方性層１２及び１６を配置し、これらの光学異方性層と光学補償層１４とで、液晶セル１３及び１５の黒状態のレターデーションを補償可能に設計してもよい。かかる態様では、光学異方性層１２又は光学異方性層１６の面内レターデーション（Ｒｅ）及び厚さ方向のレターデーション（Ｒｔｈ）の少なくとも一方は、光学補償層１４のそれぞれと異なっているのが好ましい。勿論、光学異方性層１２及び１６は省略してもよい。また、それぞれ偏光膜１１及び１７と一体化された部材として組み込まれていてもよい。かかる態様では、偏光膜１１及び１７の保護膜が、光学異方性層１２及び１６の支持体として機能していてもよい。
【００１３】
光学補償層１４、光学異方性層１２及び１６は、棒状又は円盤状液晶性化合物を含有する組成物から形成されていてもよいし、ポリマーフィルムであってもよい。液晶性化合物を含有する組成物からなる光学異方性層に用いられる材料、製造方法については、後述の本発明の光学補償フィルムについての例と同様である。光学補償層及び光学異方性層がポリマーフィルムである場合は、光学異方性を発現し得るポリマーから形成する必要がある。そのようなポリマーの例には、ポリオレフィン（例、ポリエチレン、ポリプロピレン、ノルボルネン系ポリマー）、ポリカーボネート、ポリアリレート、ポリスルホン、ポリビニルアルコール、ポリメタクリル酸エステル、ポリアクリル酸エステルおよびセルロースエステル（例、セルローストリアセーテート、セルロースジアセテート）が含まれる。また、これらのポリマーの共重合体あるいはポリマー混合物を用いてもよい。
【００１４】
ポリマーフィルムの光学異方性は、延伸により得ることが好ましい。延伸は一軸延伸または二軸延伸であることが好ましい。具体的には、２つ以上のロールの周速差を利用した縦一軸延伸、またはポリマーフィルムの両サイドを掴んで幅方向に延伸するテンター延伸、これらを組み合わせての二軸延伸が好ましい。なお、二枚以上のポリマーフィルムを用いて、二枚以上のフィルム全体の光学的性質が前記の条件を満足してもよい。ポリマーフィルムは、複屈折のムラを少なくするためにソルベントキャスト法により製造することが好ましい。ポリマーフィルムの厚さは、２０〜５００μｍであることが好ましく、４０〜１００μｍであることが最も好ましい。
【００１５】
また、光学異方性層用のポリマーフィルムとして、ポリアミド、ポリイミド、ポリエステル、ポリエーテルケトン、ポリアミドイミドポリエステルイミド、およびポリアリールエーテルケトン、からなる群から選ばれる少なくとも１種のポリマー材料を用い、これを溶媒に溶解した溶液を基材に塗布し、溶媒を乾燥させてフィルム化する方法も好ましく用いることができる。この際、上記ポリマーフィルムと基材とを延伸して光学異方性を発現させて光学異方性層として用いる手法も好ましく用いることができ、セルロースアシレートフィルムは上記基材として好ましく用いることができる。また、上記ポリマーフィルムを別の基材の上で作製しておき、ポリマーフィルムを基材から剥離させたのちにセルロースアシレートフィルムと貼合し、あわせて光学異方性層として用いることも好ましい。この手法ではポリマーフィルムの厚さを薄くすることができ、５０μｍ以下であることが好ましく、１〜２０μｍであることがより好ましい。
【００１６】
光学補償層１４は、液晶セル１３及び１５を光学的に補償可能である限り、材料等については特に制限はない。液晶セル１３及び１５がＴＮモードの液晶セルである態様においては、後述する本発明の光学補償フィルムを光学補償層１４として用いるのが好ましい。
【００１７】
光源１９の種類については特に限定されず、通常の３次元画像表示用の液晶表示装置に用いられる種々の光源から選択することができる。中でも、出射光の拡がりが１５°以上である光源を用いると、観察者の両眼視差の効果により３次元画像が表示されるので好ましい。
【００１８】
図１に示す様に、光源１９と偏光膜１７との間に、偏光解消板１８を配置してもよい。偏光解消板１８は、アクティブ領域と非アクティブ領域とを有し、アクティブ領域は、入射される光の偏光を解消して無偏光の光として出射し、非アクティブ領域は、入射される光の偏光を保存して出射する。アクティブ領域と、非アクティブ領域とは、任意に選択することが可能である。偏光解消板を有する本実施の形態において、前述したように、液晶セル１３に、丸い物体の画像を表示し、液晶セル１５に、四角形状の物体の画像を表示した場合を考える。そして、偏光解消板１８における、丸い物体と、四角形状の物体とが重なっている部分に対応する部分をアクティブ領域にする。すると、液晶セル１３から照射される光で、アクティブ領域を通過する光は、無偏光となり、非アクティブ領域を通過する光は偏光状態を維持する。したがって、本実施の形態では、四角形状の物体の一部が丸い物体で覆われて観察される。このように、本実施の形態では、前面にある物体像の後側の後面像だけを非表示状態とすることができるので、前面にある物体像が不自然な透明状態になるのを防止することが可能である。
【００１９】
なお、本実施の形態において、液晶セルは２つに限定されるものではなく、液晶セル１３と１５との間に、偏光可変装置として機能する液晶セルおよび偏光板で構成される液晶表示装置と偏光解消板を組として、該組を１つ以上配置することにより、透過型液晶セルを３以上積層することも可能である。
【００２０】
液晶セル１３及び１５は、ＴＮモードの液晶セルであるのが好ましい。なお、ＴＮモードの液晶セルは、カラーＴＦＴ液晶表示装置として最も多く利用されており、多数の文献に記載がある。例えば、ＴＮモードの液晶セルは、上下基板間に誘電異方性が正で、屈折率異方性Δｎ＝０．０８５４（５８９ｎｍ、２０°Ｃ）、誘電率異方性Δε＝＋８．５程度の液晶を封入することによって作製できる。液晶層の厚さｄ（μｍ）と屈折率異方性Δｎとの積Δｎ・ｄは、０．２〜１．２μｍとするのが好ましく、０．２〜０．５μｍとするのがより好ましい。液晶層の配向制御は、上下基板の内面に形成された配向膜の表面性状及びラビング軸により制御することができる。液晶分子の配向方向を示すダイレクタ、いわゆるチルト角は、約３°とするのが好ましい。ラビング方向は上下基板で互いに直交する方向に施し、その強さとラビング回数などでチルト角の大きさが制御できる。配向膜はポリイミド膜を塗布後、焼成して形成するのが好ましい。液晶層のツイスト角の大きさは、上下基板のラビング方向の交差角と液晶材料に添加するカイラル剤により決定される。例えば、ツイスト角が９０°になるようにするためには、ピッチ６０μｍ程度のカイラル剤を添加するのが好ましい。液晶層の厚さｄは、例えば５μｍ程度としてもよい。用いる液晶材料ＬＣは、ネマチック液晶であれば、特に限定されない。誘電率異方性Δεは、その値が大きいほうが駆動電圧を低減できる。屈折率異方性Δｎは、小さいほうが液晶層の厚み（ギャップ）を厚くでき、ギャップばらつきを少なくすることができる。また、Δｎが大きい方がセルギャップを小さくでき、高速応答が可能となる。また液晶層のツイスト角（ねじれ角）は、一般に光源側から表示観察側に向けて観察側から見て時計回りにねじらせ、９０°近傍（８５°から９５°）が最適値となる。これらの範囲では白表示輝度が高く、黒表示輝度が小さいことから、明るくコントラストの高い表示装置が得られる。
【００２１】
観察者側偏光膜１１の吸収軸と光源側偏光膜１７の吸収軸は概略直交に積層し、さらに観察者側偏光膜１１の吸収軸と液晶セル１３及び１５の観察者側基板のラビング方向は平行に、光源側偏光膜１７の吸収軸と液晶セル１３及び１５の光源側基板のラビング方向はそれぞれ概略平行になるように積層してもよい。また、光学異方層１２のラビング方向は、偏光膜１１の吸収軸と平行、液晶セル１３の観察者側基板のラビング方向と反平行に配置するのが好ましい。光学異方層１６のラビング方向は、光源側偏光膜１７の吸収軸と平行、液晶セル１５の光源側基板のラビング方向と反平行に配置するのが好ましい。また、偏光膜１１及び１７が保護膜を有し、それぞれ液晶セル１３及び１５により近い位置に配置される保護膜が面内遅相軸を有する場合は、その遅相軸をそれぞれ、偏光膜の吸収軸と交差させて配置するのが好ましく、略９０°に交差させて配置するのが好ましい。
【００２２】
液晶セル１３及び１５の一対の基板それぞれの配向膜の内側には透明電極が形成されるが、電極に駆動電圧を印加しない非駆動状態では、液晶セル中の液晶分子は基板面に対して略平行に配向し、その結果液晶パネルを通過する光の偏光状態は液晶分子のねじれ構造に沿って伝播し、偏光面が９０°回転して出射する。即ち、液晶表示装置では非駆動状態において白表示を実現する。これに対し、駆動状態では液晶分子は基板面に対してある角度をなす方向に配向しており、偏光膜１１を通過した光は、偏光状態を維持したまま液晶セル１３及び１５を通過し、偏光膜１７によって遮断される。換言すると、駆動状態において黒表示が得られる。この液晶表示装置は、光学補償層１４、及び光学異方性層１２及び１６を備えているので、理想的な黒が得られ、３次元立体画像が視野角によって不自然に見えるのを軽減することができる。
【００２３】
なお、上記実施の形態は、透過モードであり、液晶セルのΔｎｄの値も透過モードにおいて最適な値を示したが、本発明の液晶表示装置は反射モードであってもよく、反射モードでは液晶セル内の光路が２倍になることから、最適Δｎｄの値は上記の１／２程度の値になる。また、ツイスト角は３０°〜７０°が最適値となる。
【００２４】
本発明の液晶表示装置は、図１に示す構成に限定されず、他の部材を含んでいてもよい。例えば、液晶セルと偏光膜との間にカラーフィルターを配置してもよい。冷陰極あるいは熱陰極蛍光管、あるいは発光ダイオード、フィールドエミッション素子、エレクトロルミネッセント素子を光源とするバックライトを配置することができる。本発明の液晶表示装置は透過と反射のモードの両立をはかるため、表示装置の１画素の中で反射部と透過部を設けた半透過型であってもよい。
【００２５】
本発明の液晶表示装置には、画像直視型、画像投影型や光変調型が含まれる。本発明は、ＴＦＴやＭＩＭのような３端子または２端子半導体素子を用いたアクティブマトリックス液晶表示装置に適用した態様が特に有効である。勿論、パッシブマトリックス液晶表示装置に適用した態様も有効である。
【００２６】
［光学補償フィルム］
次に、本発明の光学補償フィルムについて説明する。なお、光学補償フィルムとは、一般に液晶表示装置に用いられ、位相差を補償する光学材料のことを指し、位相差板、光学補償シートなどと同義である。光学補償フィルムは複屈折性を有し、液晶表示装置の表示画面の着色を取り除いたり、視野角特性を改善したりする目的で用いられる。本発明の光学補償フィルムは、３次元立体画像を表示可能な液晶表示装置、特に液晶セルを２つ有する３次元立体画像用液晶表示装置に用いるのに好ましい。本発明の光学補償フィルムは、各々が液晶化合物を含有する第１の光学異方性層と第２の光学異方性層とを有する光学補償フィルムであって、該第１および第２の光学異方性層において、前記液晶化合物の分子が、フィルム平面に対する傾斜角が厚さ方向において異なるハイブリッド配向状態に固定化されていることを特徴とする。本発明の光学補償フィルムは、前記第１及び第２の光学異方性層の他に、これらを支持する支持体（例えば高分子フィルム）や、光学異方性層中の液晶性分子の配向を制御するための配向膜を有していてもよい。
【００２７】
第１及び第２の光学異方性層は、光学補償対象の液晶セルの黒表示時のレターデーションを光学補償可能な光学特性を有しているのが好ましい。第１及び第２の光学異方性層のレターデーション等の光学特性は、光学異方性層中における液晶性分子の傾斜角や、配向方向等によって所望の範囲とすることができる。
【００２８】
図２（ａ）〜（ｄ）に、本発明の光学補償フィルムの実施形態のいくつかについてその概念図を示した。なお、図２は説明を容易にするために用いた概念図であって、分子の大きさや、配向状態等については必ずしも実際のものと一致していない。
図２（ａ）は、第１の光学異方性層２０と、これを支持する支持体２１と、第２の光学異方性層２２とこれを支持する支持体２３を有する。図中省略したが、支持体２１及び２３と、光学異方性層２０及び２２との間には、光学異方性層形成時に液晶性化合物の分子の配向を制御する配向膜が形成されている。図２（ａ）に示す光学補償フィルムは、第１の光学異方性層２０に含まれる液晶化合物の分子２４のフィルム平面に対する傾斜角は、第２の光学異方性層２２に遠い側よりも近い側のほうが大きく、第２の光学異方性層２２に含まれる液晶化合物の分子２５のフィルム平面に対する傾斜角は、第１の光学異方性層２０に近い側よりも遠い側のほうが大きくなっている。図２（ａ）に示す光学補償フィルムは、例えば、支持体上に、液晶性化合物を含有する組成物を適用して、該液晶性化合物の分子をハイブリッド配向状態とした後、その状態に固定して光学異方性層を形成したフィルムを２枚用意し、一方の光学異方性層の表面に、他方の支持体裏面を接着することで作製することができる。
【００２９】
図２（ｂ）に示す光学補償フィルムは、第１の光学異方性層２０に含まれる液晶化合物の分子２４のフィルム平面に対する傾斜角が、第２の光学異方性層２２に遠い側よりも近い側のほうが大きく、第２の光学異方性層２２に含まれる液晶化合物の分子２５のフィルム平面に対する傾斜角が、第１の光学異方性層２０に遠い側よりも近い側のほうが大きくなっている。図２（ｂ）に示す光学補償フィルムは、例えば、支持体上に、液晶性化合物を含有する組成物を適用して、該液晶性化合物の分子をハイブリッド配向状態とした後、その状態に固定して光学異方性層を形成したフィルムを２枚用意し、双方の光学異方性層の表面同士を接着することで作製することができる。
【００３０】
図２（ｃ）に示す光学補償フィルムは、第１の光学異方性層２０に含まれる液晶化合物の分子２４のフィルム平面に対する傾斜角が、第２の光学異方性層２２に近い側よりも遠い側のほうが大きく、第２の光学異方性層２２に含まれる液晶化合物の分子２５のフィルム平面に対する傾斜角が、第１の光学異方性層２０に遠い側よりも近い側のほうが大きくなっている。図２（ｃ）に示す光学補償フィルムは、例えば、支持体上に、液晶性化合物を含有する組成物を適用して、該液晶性化合物の分子をハイブリッド配向状態とした後、その状態に固定して光学異方性層を形成したフィルムを２枚用意し、一方の光学異方性層の表面に、他方の支持体裏面を接着することで作製することができる。
【００３１】
図２（ｄ）に示す光学補償フィルムは、第１の光学異方性層２０に含まれる液晶化合物の分子２４のフィルム平面に対する傾斜角が、第２の光学異方性層２２に近い側よりも遠い側のほうが大きく、第２の光学異方性層２２に含まれる液晶化合物の分子２５のフィルム平面に対する傾斜角が、第１の光学異方性層２０に近い側よりも遠い側のほうが大きくなっている。図２（ｄ）に示す光学補償フィルムは、例えば、支持体上に、液晶性化合物を含有する組成物を適用して、該液晶性化合物の分子をハイブリッド配向状態とした後、その状態に固定して光学異方性層を形成したフィルムを２枚用意し、双方の支持体の裏面を接着することで作製することができる。または、支持体は１つでもよく、例えば、高分子フィルム等からなる支持体の表面と裏面にそれぞれ第１及び第２の光学異方性層を形成してもよい。
【００３２】
また、本発明の光学補償フィルムは、前記第１の光学異方性層のフィルム法線方向から測定した面内の遅相軸と、前記第２の光学異方性層のフィルム法線方向から測定した面内の遅相軸との関係を調整することで、所望の光学特性とすることができる。前記第１の光学異方性層のフィルム法線方向から測定した面内の遅相軸と、前記第２の光学異方性層のフィルム法線方向から測定した面内の遅相軸とが実質的に平行である態様、及び前記第１の光学異方性層のフィルム法線方向から測定した面内の遅相軸と、前記第２の光学異方性層のフィルム法線方向から測定した面内の遅相軸とが交差している態様のいずれであってもよい。第１および第２の光学異方性層の面内遅相軸が平行、即ち０°であるか、交差する場合は、Π／２の整数倍、即ち、９０°、１８０°又は２７０°で交差しているのが好ましい。光学異方性層の面内遅相軸は、光学異方性層を形成する際に利用する配向膜のラビング方向等によって制御することができる。
【００３３】
［光学異方性層］
前記第１及び第２の光学異方性層はそれぞれ、液晶性化合物を含有する組成物から形成されている。前記液晶性化合物としては、ディスコティック液晶性化合物または棒状液晶性化合物が好ましく、ディスコティック液晶性化合物であるのがより好ましい。
【００３４】
（ディスコティック液晶性化合物）
本発明に使用可能な円盤状（ディスコティック）化合物の例には、Ｃ．Ｄｅｓｔｒａｄｅらの研究報告、Ｍｏｌ．Ｃｒｙｓｔ．７１巻、１１１頁（１９８１年）に記載されているベンゼン誘導体、Ｃ．Ｄｅｓｔｒａｄｅらの研究報告、Ｍｏｌ．Ｃｒｙｓｔ．１２２巻、１４１頁（１９８５年）、Ｐｈｙｓｉｃｓ  ｌｅｔｔ、Ａ、７８巻、８２頁（１９９０）に記載されているトルキセン誘導体、Ｂ．Ｋｏｈｎｅらの研究報告、Ａｎｇｅｗ．Ｃｈｅｍ．９６巻、７０頁（１９８４年）に記載されたシクロヘキサン誘導体及びＪ．Ｍ．Ｌｅｈｎらの研究報告、Ｊ．Ｃｈｅｍ．Ｃｏｍｍｕｎ．、１７９４頁（１９８５年）、Ｊ．Ｚｈａｎｇらの研究報告、Ｊ．Ａｍ．Ｃｈｅｍ．Ｓｏｃ．１１６巻、２６５５頁（１９９４年）に記載されているアザクラウン系やフェニルアセチレン系マクロサイクルが含まれる。
【００３５】
円盤状化合物の例には、分子中心の母核に対して、直鎖のアルキル基、アルコキシ基、置換ベンゾイルオキシ基が母核の側鎖として放射線状に置換した構造である液晶性を示す化合物も含まれる。分子または分子の集合体が、回転対称性を有し、一定の配向を付与できる化合物であることが好ましい。円盤状化合物の好ましい例は、特開平８−５０２０６号公報に記載されている。
【００３６】
光学異方性層において、ディスコティック液晶性分子は配向状態で固定されているのが好ましく、重合反応により固定されているのが最も好ましい。ディスコティック液晶性分子の重合については、特開平８−２７２８４号公報に記載がある。ディスコティック液晶性分子を重合により固定するためには、ディスコティック液晶性分子の円盤状コアに、置換基として重合性基を結合させる必要がある。ただし、円盤状コアに重合性基を直結させると、重合反応において配向状態を保つことが困難になる。そこで、円盤状コアと重合性基との間に、連結基を導入する。重合性基を有するディスコティック液晶性分子について、特開２００１−４３８７号公報に開示されている。
【００３７】
（棒状液晶性化合物）
本発明において、使用可能な棒状液晶性化合物の例には、アゾメチン類、アゾキシ類、シアノビフェニル類、シアノフェニルエステル類、安息香酸エステル類、シクロヘキサンカルボン酸フェニルエステル類、シアノフェニルシクロヘキサン類、シアノ置換フェニルピリミジン類、アルコキシ置換フェニルピリミジン類、フェニルジオキサン類、トラン類およびアルケニルシクロヘキシルベンゾニトリル類が含まれる。以上のような低分子液晶性化合物だけではなく、高分子液晶性化合物も用いることができる。
【００３８】
光学異方性層において、棒状液晶性分子は配向状態で固定されているのが好ましく、重合反応により固定されているのが最も好ましい。本発明に使用可能な重合性棒状液晶性化合物の例には、Ｍａｋｒｏｍｏｌ．Ｃｈｅｍ．，１９０巻、２２５５頁（１９８９年）、Ａｄｖａｎｃｅｄ  Ｍａｔｅｒｉａｌｓ  ５巻、１０７頁（１９９３年）、米国特許４６８３３２７号、同５６２２６４８号、同５７７０１０７号各明細書、国際公開ＷＯ９５／２２５８６号、同９５／２４４５５号、同９７／００６００号、同９８／２３５８０号、同９８／５２９０５号、特開平１−２７２５５１号、同６−１６６１６号、同７−１１０４６９号、同１１−８００８１号、および特開２００１−３２８９７３号各公報などに記載の化合物が含まれる。
【００３９】
以下、フィルム平面に対する傾斜角が厚さ方向において異なるハイブリッド配向状態に固定された円盤状化合物を含有する光学異方性層の好ましい態様について詳細を記述する。
第１及び第２の光学異方性層は、液晶表示装置の黒表示における液晶セル中の液晶化合物を補償するように設計することが好ましい。黒表示における液晶セル中の液晶化合物の配向状態は、液晶表示装置のモードにより異なる。この液晶セル中の液晶化合物の配向状態と補償フィルムの配向の関係に関しては、ＩＤＷ’００、ＦＭＣ７−２、Ｐ４１１〜４１４に記載されている。
【００４０】
前記第１及び第２の光学異方性層において、円盤状化合物はハイブリッド配向しているので、円盤状化合物の長軸（円盤面の長径）の層平面に対する傾斜角度の平均は、光学異方性層の深さ方向、透明支持体界面からの距離の増加と共に増加または減少している。傾斜角度の平均は、距離の増加と共に増加することが好ましい。さらに、傾斜角度の変化としては、連続的増加、連続的減少、間欠的増加、間欠的減少、連続的増加と連続的減少を含む変化、あるいは、増加及び減少を含む間欠的変化が可能である。間欠的変化は、厚さ方向の途中で傾斜角が変化しない領域を含んでいる。本発明では、傾斜角度が変化しない領域を含んでいても、全体として増加または減少していればよい。さらに、傾斜角度は連続的に変化することが好ましい。
【００４１】
前記第１及び第２の光学異方性層は、液晶性円盤状化合物を含有する組成物を透明支持体表面に適用して、必要であれば加熱等して、形成することができる。液晶性円盤状化合物を、上記した所望の配向状態にするためには、配向膜や、カイラル剤、界面活性剤、ポリマー等の液晶性分子の配向を制御する材料を用いるのが好ましい。例えば、配向膜を用いると、配向膜界面における液晶性円盤状化合物の長軸の配向方向を、配向膜の材料を選択することにより、またはラビング処理方法を選択することにより、所望の方向に調整することができる。また、表面側（空気側）の円盤状化合物の長軸（円盤面）方向は、一般に円盤状化合物あるいは円盤状化合物と共に使用する添加剤の種類を選択することにより調整することができる。その他、光学異方性層形成用の組成物中には、液晶性円盤状化合物を固定するのに利用される重合性モノマー及び開始剤等を含有させてもよい。
【００４２】
［光学異方性層の添加剤］
第１及び第２の光学異方性層形成用の組成物中には、上記の円盤状化合物の他、カイラル剤をはじめ、種々の添加剤を含有させることができる。添加剤の例には、可塑剤、界面活性剤、重合性モノマー等が含まれる。これらの添加剤は、塗工膜の均一性、膜の強度、又は円盤状化合物の配向性等を向上させるのに寄与する。界面活性剤としては、例えば以下の含フッ素界面活性剤が挙げられる。
【００４３】
【化１】
2006293098.tif 000003
【００４４】
重合性モノマーとしては、ラジカル重合性又はカチオン重合性の化合物が挙げられる。好ましくは、多官能性ラジカル重合性モノマーであり、上記の重合性基含有の液晶化合物と共重合性のものが好ましい。例えば、特開２００２−２９６４２３号公報明細書中の段落番号［００１８］〜［００２０］記載のものが挙げられる。上記化合物の添加量は、円盤状化合物に対して一般に１〜５０質量％の範囲にあり、５〜３０質量％の範囲にあることが好ましい。
【００４５】
界面活性剤としては、従来公知の化合物が挙げられるが、特にフッ素系化合物が好ましい。具体的には、例えば特開２００１−３３０７２５号公報明細書中の段落番号［００２８］〜［００５６］記載の化合物が挙げられる。
【００４６】
円盤状化合物とともに使用するポリマーは、円盤状化合物の傾斜角に変化を与えられることが好ましい。
ポリマーの例としては、セルロースエステルを挙げることができる。セルロースエステルの好ましい例としては、特開２０００−１５５２１６号公報明細書中の段落番号［０１７８］記載のものが挙げられる。液晶性円盤状化合物の配向を阻害しないように、上記ポリマーの添加量は、液晶性円盤状化合物に対して０．１〜１０質量％の範囲にあることが好ましく、０．１〜８質量％の範囲にあることがより好ましい
【００４７】
［光学異方性層の形成］
第１及び第２の光学異方性層はそれぞれ、液晶性円盤状化合物、及び必要に応じて添加剤等を含む塗布液を、配向膜の表面に塗布することで形成できる。
塗布液の調製に使用する溶媒としては、有機溶媒が好ましく用いられる。有機溶媒の例には、アミド（例、Ｎ、Ｎ−ジメチルホルムアミド）、スルホキシド（例、ジメチルスルホキシド）、ヘテロ環化合物（例、ピリジン）、炭化水素（例、ベンゼン、ヘキサン）、アルキルハライド（例、クロロホルム、ジクロロメタン、テトラクロロエタン）、エステル（例、酢酸メチル、酢酸ブチル）、ケトン（例、アセトン、メチルエチルケトン）、エーテル（例、テトラヒドロフラン、１、２−ジメトキシエタン）が含まれる。アルキルハライドおよびケトンが好ましい。二種類以上の有機溶媒を併用してもよい。
塗布液の塗布は、公知の方法（例、ワイヤーバーコーティング法、押し出しコーティング法、ダイレクトグラビアコーティング法、リバースグラビアコーティング法、ダイコーティング法）により実施できる。
【００４８】
［円盤状化合物の固定］
液晶性円盤状化合物を、配向状態を維持して固定することができる。固定化は、重合反応により実施することが好ましい。重合反応には、熱重合開始剤を用いる熱重合反応と光重合開始剤を用いる光重合反応とが含まれる。光重合反応が好ましい。
光重合開始剤の例には、α−カルボニル化合物（米国特許２３６７６６１号、同２３６７６７０号の各明細書記載）、アシロインエーテル（米国特許２４４８８２８号明細書記載）、α−炭化水素置換芳香族アシロイン化合物（米国特許２７２２５１２号明細書記載）、多核キノン化合物（米国特許３０４６１２７号、同２９５１７５８号の各明細書記載）、トリアリールイミダゾールダイマーとｐ−アミノフェニルケトンとの組み合わせ（米国特許３５４９３６７号明細書記載）、アクリジンおよびフェナジン化合物（特開昭６０−１０５６６７号公報、米国特許４２３９８５０号明細書記載）およびオキサジアゾール化合物（米国特許４２１２９７０号明細書記載）が含まれる。
光重合開始剤の使用量は、塗布液の固形分の０．０１〜２０質量％の範囲にあることが好ましく、０．５〜５質量％の範囲にあることがさらに好ましい。
液晶性円盤状化合物の重合のための光照射は、紫外線を用いることが好ましい。照射エネルギーは、２０ｍＪ／ｃｍ2〜５０Ｊ／ｃｍ2の範囲にあることが好ましく、２０〜５０００ｍＪ／ｃｍ2の範囲にあることがより好ましく、１００〜８００ｍＪ／ｃｍ2の範囲にあることがさらに好ましい。また、光重合反応を促進するため、加熱条件下で光照射を実施してもよい。
保護層を、光学異方性層の上に設けてもよい。
【００４９】
［配向膜］
配向膜は、円盤状化合物の配向方向を規定する機能を有する。液晶性円盤状化合物を、上記配向状態とするためには、配向膜を用いることが好ましいが、液晶性円盤状化合物を配向後に、その配向状態を固定してしまえば、配向膜はその役割を果たしているために、本発明の構成要素としては必ずしも必須のものではない。即ち、配向状態が固定された配向膜上の光学異方性層のみを透明支持体上に転写することも可能である。
【００５０】
配向膜は、有機化合物（好ましくはポリマー）のラビング処理、無機化合物の斜方蒸着、マイクログルーブを有する層の形成、あるいはラングミュア・ブロジェット法（ＬＢ膜）による有機化合物（例、ω−トリコサン酸、ジオクタデシルメチルアンモニウムクロライド、ステアリル酸メチル）の累積のような手段で設けることができる。さらに、電場の付与、磁場の付与あるいは光照射により、配向機能が生じる配向膜も知られている。
【００５１】
配向膜は、ポリマーのラビング処理により形成することが好ましい。配向膜に使用するポリマーは、原則として、液晶性分子を配向させる機能のある分子構造を有する。本発明では、液晶性分子を配向させる機能に加えて、架橋性官能基（例、二重結合）を有する側鎖を主鎖に結合させるか、あるいは、液晶性分子を配向させる機能を有する架橋性官能基を側鎖に導入することが好ましい。
配向膜に使用されるポリマーは、それ自体架橋可能なポリマーあるいは架橋剤により架橋されるポリマーのいずれも使用することができし、これらの組み合わせを複数使用することができる。
ポリマーの例には、例えば特開平８−３３８９１３号公報明細書中段落番号［００２２］記載のメタクリレート系共重合体、スチレン系共重合体、ポリオレフィン、ポリビニルアルコールおよび変性ポリビニルアルコール、ポリ（Ｎ−メチロールアクリルアミド）、ポリエステル、ポリイミド、酢酸ビニル共重合体、カルボキシメチルセルロース、ポリカーボネート等が含まれる。シランカップリング剤をポリマーとして用いることができる。水溶性ポリマー（例、ポリ（Ｎ−メチロールアクリルアミド）、カルボキシメチルセルロース、ゼラチン、ポリビニルアルコール、変性ポリビニルアルコール）が好ましく、ゼラチン、ポリビニルアルコールおよび変性ポリビニルアルコールがさらに好ましく、ポリビニルアルコールおよび変性ポリビニルアルコールが最も好ましい。重合度が異なるポリビニルアルコールまたは変性ポリビニルアルコールを２種類併用することが特に好ましい。
【００５２】
ポリビニルアルコールの鹸化度は、７０〜１００％が好ましく、８０〜１００％がさらに好ましい。ポリビニルアルコールの重合度は、１００〜５０００であることが好ましい。
液晶性分子を配向させる機能を有する側鎖は、一般に疎水性基を官能基として有する。具体的な官能基の種類は、液晶性分子の種類および必要とする配向状態に応じて決定する。
例えば、変性ポリビニルアルコールの変性基としては、共重合変性、連鎖移動変性またはブロック重合変性により導入できる。変性基の例には、親水性基（カルボン酸基、スルホン酸基、ホスホン酸基、アミノ基、アンモニウム基、アミド基、チオール基等）、炭素数１０〜１００個の炭化水素基、フッ素原子置換の炭化水素基、チオエーテル基、重合性基（不飽和重合性基、エポキシ基、アジリニジル基等）、アルコキシシリル基（トリアルコキシ、ジアルコキシ、モノアルコキシ）等が挙げられる。これらの変性ポリビニルアルコール化合物の具体例として、例えば特開２０００−１５５２１６号公報明細書中の段落番号［００２２］〜［０１４５］、同２００２−６２４２６号公報明細書中の段落番号［００１８］〜［００２２］に記載のもの等が挙げられる。
【００５３】
架橋性官能基を有する側鎖を配向膜ポリマーの主鎖に結合させるか、あるいは、液晶性分子を配向させる機能を有する側鎖に架橋性官能基を導入すると、配向膜のポリマーと光学異方性層に含まれる多官能モノマーとを共重合させることができる。その結果、多官能モノマーと多官能モノマーとの間だけではなく、配向膜ポリマーと配向膜ポリマーとの間、そして多官能モノマーと配向膜ポリマーとの間も共有結合で強固に結合される。従って、架橋性官能基を配向膜ポリマーに導入することで、光学補償フィルムの強度を著しく改善することができる。
配向膜ポリマーの架橋性官能基は、多官能モノマーと同様に、重合性基を含むことが好ましい。具体的には、例えば特開２０００−１５５２１６号公報明細書中段落番号［００８０］〜［０１００］記載のもの等が挙げられる。
【００５４】
配向膜ポリマーは、上記の架橋性官能基とは別に、架橋剤を用いて架橋させることもできる。
架橋剤としては、アルデヒド、Ｎ−メチロール化合物、ジオキサン誘導体、カルボキシル基を活性化することにより作用する化合物、活性ビニル化合物、活性ハロゲン化合物、イソオキサゾールおよびジアルデヒド澱粉が含まれる。二種類以上の架橋剤を併用してもよい。具体的には、例えば特開２００２−６２４２６号公報明細書中の段落番号［００２３］〜［０２４］記載の化合物等が挙げられる。反応活性の高いアルデヒド、特にグルタルアルデヒドが好ましい。
【００５５】
架橋剤の添加量は、ポリマーに対して０．１〜２０質量％が好ましく、０．５〜１５質量％がさらに好ましい。配向膜に残存する未反応の架橋剤の量は、１．０質量％以下であることが好ましく、０．５質量％以下であることがさらに好ましい。このように調節することで、配向膜を液晶表示装置に長期使用、或は高温高湿の雰囲気下に長期間放置しても、レチキュレーション発生のない充分な耐久性が得られる。が発生することがある。
【００５６】
配向膜は、基本的に、配向膜形成材料である上記ポリマー、架橋剤を含む透明支持体上に塗布した後、加熱乾燥（架橋させ）し、ラビング処理することにより形成することができる。架橋反応は、前記のように、透明支持体上に塗布した後、任意の時期に行って良い。ポリビニルアルコールのような水溶性ポリマーを配向膜形成材料として用いる場合には、塗布液は消泡作用のある有機溶媒（例、メタノール）と水の混合溶媒とすることが好ましい。その比率は質量比で水：メタノールが０：１００〜９９：１が好ましく、０：１００〜９１：９であることがさらに好ましい。これにより、泡の発生が抑えられ、配向膜、更には光学異方層の層表面の欠陥が著しく減少する。
【００５７】
配向膜の塗布方法は、スピンコーティング法、ディップコーティング法、カーテンコーティング法、エクストルージョンコーティング法、ロッドコーティング法またはロールコーティング法が好ましい。特にロッドコーティング法が好ましい。また、乾燥後の膜厚は０．１〜１０μｍが好ましい。加熱乾燥は、２０℃〜１１０℃で行うことができる。充分な架橋を形成するためには６０℃〜１００℃が好ましく、特に８０℃〜１００℃が好ましい。乾燥時間は１分〜３６時間で行うことができるが、好ましくは１分〜３０分である。ｐＨも、使用する架橋剤に最適な値に設定することが好ましく、グルタルアルデヒドを使用した場合は、ｐＨ４．５〜５．５で、特に５が好ましい。
【００５８】
配向膜は、透明支持体表面、又は所望により透明支持体の上に下塗層を設けた場合は、下塗り層表面に形成することができる。配向膜は、上記のようにポリマー層を架橋したのち、表面をラビング処理することにより作製してもよい。
前記ラビング処理は、ＬＣＤの液晶配向処理工程として広く採用されている処理方法を適用することができる。即ち、配向膜の表面を、紙やガーゼ、フェルト、ゴムあるいはナイロン、ポリエステル繊維などを用いて一定方向に擦ることにより、配向を得る方法を用いることができる。一般的には、長さおよび太さが均一な繊維を平均的に植毛した布などを用いて数回程度ラビングを行うことにより実施される。
【００５９】
次に、配向膜を機能させて、配向膜の上に設けられる光学異方性層の液晶性円盤状化合物を配向させる。その後、必要に応じて、配向膜ポリマーと光学異方性層に含まれる多官能モノマーとを反応させてもよいし、又は架橋剤を用いて配向膜ポリマーを架橋させてもよい。
配向膜の膜厚は、０．１〜１０μｍの範囲にあることが好ましい。
【００６０】
[ハードコートフィルム、防眩フィルム、反射防止フィルム]
本発明の光学補償フィルムは、他の機能性層を有していてもよい。例えば、防眩性ハードコート層、防眩性を有さないハードコート層、中屈折率層、高屈折率層及び低屈折率層等があげられる。これらの機能性層を付与することで、用いられる液晶表示装置の視認性をより改善することができる。機能性フィルムの組み合わせとして好ましい例とし、防眩性ハードコート層、防眩性を有さないハードコート層、中屈折率層及び高屈折率層の少なくともいずれか一層と、低屈折率層との組み合わせが挙げられる。このような防眩フィルム、反射防止フィルムとしての望ましい実施態様は、発明協会公開技報（公技番号２００１−１７４５、２００１年３月１５日発行、発明協会）の５４頁〜５７頁に詳細に記載されており、本発明に好ましく用いることができる。また、低屈折率層、中屈折率層及び高屈折率層とは、屈折率がそれぞれ１．２〜１．５、１．５５〜１．８、１．６〜２．４である層のことをいい、材料や製造方法を選択することで屈折率をかかる範囲に調整することができる。中屈折率層の屈折率は低屈折率層と高屈折率層の間の値となるように調整する。これらの層の好ましい例については、特開平１１−１５３７０３号公報等に記載があり、本発明に用いることができる。
【００６１】
［支持体］
本発明の光学補償フィルムは、前記第１及び第２の光学異方性層のそれぞれを、又は双方を、支持する支持体を有していてもよい。支持体は、透明であるのが好ましく、具体的には、光透過率が８０％以上であるのが好ましい。支持体は、ポリマーフィルムから選択するのが好ましい。ポリマーフィルムを構成するポリマーの例には、セルロースエステル（例、セルロースのモノ乃至トリアシレート体）、ノルボルネン系ポリマーおよびポリメチルメタクリレートが含まれる。市販のポリマー（ノルボルネン系ポリマーでは、アートン及びゼオネックスいずれも商品名））を用いてもよい。又、従来知られているポリカーボネートやポリスルホンのような複屈折の発現し易いポリマーであっても、ＷＯ００／２６７０５号明細書に記載のように、分子を修飾することで複屈折の発現性を制御すれば、本発明に用いることもできる。
【００６２】
中でもセルロースエステルが好ましく、セルロースの低級脂肪酸エステルがさらに好ましい。低級脂肪酸とは、炭素原子数が６以下の脂肪酸を意味する。特に、炭素原子数が２〜４のセルロースアシレートが好ましい。セルロースアセテートが特に好ましい。セルロースアセテートプロピオネートやセルロースアセテートブチレートのような混合脂肪酸エステルを用いてもよい。
セルロースアセテートの粘度平均重合度（ＤＰ）は、２５０以上であることが好ましく、２９０以上であることがさらに好ましい。又、セルロースアセテートは、ゲルパーミエーションクロマトグラフィーによるＭｗ／Ｍｎ（Ｍｗは質量平均分子量、Ｍｎは数平均分子量）の分子量分布が狭いことが好ましい。具体的なＭｗ／Ｍｎの値としては、１．０〜１．７であることが好ましく、１．０〜１．６５であることがさらに好ましい。
【００６３】
また、酢化度が５５．０〜６２．５％であるセルロースアセテートを使用することが好ましい。酢化度は、５７．０〜６２．０％であることがさらに好ましい。酢化度とは、セルロース単位質量当たりの結合酢酸量を意味する。酢化度は、ＡＳＴＭ：Ｄ−８１７−９１（セルロースアセテート等の試験法）におけるアセチル化度の測定および計算によって求められる。
【００６４】
通常、セルロースアセテートは、セルロースの２位、３位、６位のヒドロキシルが均等に置換されるのではなく、６位の置換度が小さくなる傾向がある。前記透明支持体に用いるセルロースアセテートは、セルロースの６位置換度が、２位、３位に比べて同程度または多い方が好ましい。２位、３位、６位の置換度の合計に対する、６位の置換度の割合は、３０〜４０％であることが好ましく、３１〜４０％であることがさらに好ましく、３２〜４０％であることが最も好ましい。６位の置換度は、０．８８以上であることが好ましい。
これらの具体的なアシル基、及びセルロースアシレートの合成方法は、発明協会公開技報（公技番号２００１−１７４５、２００１年３月１５日発行  発明協会）の９ページに詳細に記載されている。
【００６５】
ポリマーフィルムのレターデーションを調整して、所望の光学特性を付与するためには、延伸のような外力を与える方法が一般的である。又、必要であれば、光学異方性を調節するためのレターデーション上昇剤、光学的異方性を低下させるために化合物、又は波長分散調整剤をポリマーフィルム中に添加してもよい。セルロースアシレートフィルムのレターデーションを調整するには、芳香族環を少なくとも二つ有する芳香族化合物をレターデーション上昇剤として使用することが好ましい。芳香族化合物は、セルロースアシレート１００質量部に対して、０．０１〜２０質量部の範囲で使用することが好ましい。また、二種類以上の芳香族化合物を併用してもよい。芳香族化合物の芳香族環には、芳香族炭化水素環に加えて、芳香族性ヘテロ環を含む。例えば、欧州特許０９１１６５６Ａ２号明細書、特開２０００−１１１９１４号、同２０００−２７５４３４号公報等記載の化合物等が挙げられる。
以下にポリマーフィルムの光学的異方性を低下させるための化合物として使用可能な例示化合物、及び波長分散調整剤として使用可能な例示化合物を示すが、以下の化合物に限定されるものではない。
【００６６】
【化２】
2006293098.tif 000004
【００６７】
【化３】
2006293098.tif 000005
【００６８】
更には、前記支持体として用いるセルロースアセテートフィルムの吸湿膨張係数は、３０×１０-5／％ＲＨ以下であるのが好ましい。吸湿膨張係数は、１５×１０-5／％ＲＨ以下とすることが好ましく、１０×１０-5／％ＲＨ以下であることがさらに好ましい。また、吸湿膨張係数は小さい方が好ましいが、通常は、１．０×１０-5／％ＲＨ以上の値である。吸湿膨張係数は、一定温度下において相対湿度を変化させた時の試料長の変化量を示す。
この吸湿膨張係数を調節することで、光学異方層や偏光膜の光学的性能を維持したまま、額縁状の透過率上昇（歪みによる光漏れ）を防止することができる。
吸湿膨張係数の測定方法について以下に示す。作製したポリマーフィルムから幅５ｍｍ、長さ２０ｍｍの試料を切り出し、片方の端を固定して２５℃、２０％ＲＨ（Ｒ0）の雰囲気下にぶら下げた。他方の端に０．５ｇの重りをぶら下げて、１０分間放置し長さ（Ｌ0）を測定した。次に、温度は２５℃のまま、湿度を８０％ＲＨ（Ｒ1）にして、長さ（Ｌ1）を測定した。吸湿膨張係数は下式により算出することができる。測定は同一試料につき１０サンプル行い、平均値を採用する。
吸湿膨張係数［／％ＲＨ］＝｛（Ｌ1−Ｌ0）／Ｌ0｝／（Ｒ1−Ｒ0）
【００６９】
ポリマーフィルムの吸湿による寸度変化を小さくするには、疎水基を有する化合物又は微粒子等を添加することが好ましい。疎水基を有する化合物としては、分子中に脂肪族基や芳香族基のような疎水基を有する可塑剤や劣化防止剤から選択するのが好ましい。これらの化合物の添加量は、調整する溶液（ドープ）に対して０．０１〜１０質量％の範囲にあることが好ましい。又、ポリマーフィルム中の自由体積を小さくすればよく、具体的には、後述のソルベントキャスト方法による成膜時の残留溶剤量が少ない方が自由堆積が小さくなる。セルロースアセテートフィルムに対する残留溶剤量が、０．０１〜１．００質量％の範囲となる条件で乾燥することが好ましい。
【００７０】
ポリマーフィルムには、種々の目的に応じて添加する添加剤（例えば、紫外線防止剤、剥離剤、帯電防止剤、劣化防止剤（例、酸化防止剤、過酸化物分解剤、ラジカル禁止剤、金属不活性化剤、酸捕獲剤、アミン）、赤外吸収剤を等）を添加してもよく、該添加剤は、固体でもよく油状物でもよい。また、フィルムが多層から形成される場合、各層の添加物の種類や添加量が異なってもよい。これらの詳細は、上記の公技番号  ２００１−１７４５号技法の１６頁〜２２頁に詳細に記載されている素材が好ましく用いられる。各素材の添加量は、その機能が発現する限りにおいて特に限定されないが、ポリマーフィルム全組成物中、０．００１〜２５質量％であるのが好ましい。
【００７１】
［ポリマーフィルムの製造方法］
ポリマーフィルムは、ソルベントキャスト法によりを製造することが好ましい。ソルベントキャスト法では、ポリマー材料を有機溶媒に溶解した溶液（ドープ）を用いてフィルムを製造する。前記ソルベントキャスト法では、ドープをドラムまたはバンド上に流延し、溶媒を蒸発させてフィルムを形成する。流延前のドープは、固形分量が１８〜３５％となるように濃度を調整することが好ましい。ドラムまたはバンドの表面は、鏡面状態に仕上げておくことが好ましい。
ドープは、表面温度が１０℃以下のドラムまたはバンド上に流延することが好ましい。流延してから２秒以上風に当てて乾燥することが好ましい。得られたフィルムをドラムまたはバンドから剥ぎ取り、さらに１００〜１６０℃まで逐次温度を変えた高温風で乾燥して残留溶剤を蒸発させることもできる。以上の方法は、特公平５−１７８４４号公報に記載がある。この方法によると流延から剥ぎ取りまでの時間を短縮することができる。この方法を実施するためには、流延時のドラムまたはバンドの表面温度においてドープがゲル化することが必要である。
【００７２】
流延工程では１種類のセルロースアシレート溶液を単層流延してもよいし、２種類以上のセルロースアシレート溶液を同時及び又は逐次共流延してもよい。
上記のような二層以上の複数のセルロースアシレート溶液を共流延する方法としては、例えば、支持体の進行方向に間隔を置いて設けた複数の流延口からセルロースアシレートを含む溶液をそれぞれ流延させて積層させる方法（例えば、特開平１１−１９８２８５号公報記載の方法）、２つの流延口からセルロースアシレート溶液を流延する方法（特開平６−１３４９３３号公報記載の方法）、高粘度セルロースアシレート溶液の流れを低粘度のセルロースアシレート溶液で包み込み、その高、低粘度のセルロースアシレート溶液を同時に押出す方法（特開昭５６−１６２６１７号公報記載の方法）等が挙げられる。本発明ではこれらに限定されるものではない。
これらのソルベントキャスト方法の製造工程については、前記の公技番号  ２００１−１７４５の２２頁〜３０頁に詳細に記載され、溶解、流延（共流延を含む）、金属支持体、乾燥、剥離、延伸などに分類される。
【００７３】
前記支持体として用いるフィルムの厚さは、１５〜１２０μｍであるのが好ましく、３０〜８０μｍであるのがより好ましい。
【００７４】
［ポリマーフィルムの表面処理］
ポリマーフィルムは、表面処理を施すことが好ましい。表面処理には、コロナ放電処理、グロー放電処理、火炎処理、酸処理、アルカリ処理および紫外線照射処理が含まれる。これらについては、詳細が前記の公技番号  ２００１−１７４５の３０頁〜３２頁に詳細に記載されている。これらの中でも特に好ましくは、アルカリ鹸化処理でありセルロースアシレートフィルムの表面処理としては極めて有効である。
【００７５】
アルカリ鹸化処理は、鹸化液中に浸漬、鹸化液を塗布する等何れでもよいが、塗布方法が好ましい。塗布方法としては、ディップコーティング法、カーテンコーティング法、エクストルージョンコーティング法、バーコーティング法及びＥ型塗布法を挙げることができる。アルカリ鹸化処理液は、水酸化カリウム溶液、水酸化ナトリウム溶液が挙げられ、水酸化イオンの規定濃度は、０．１〜３．０Ｎの範囲にあることが好ましい。更に、アルカリ処理液として、フィルムに対する濡れ性が良好な溶媒（例、イソプロピルアルコール、ｎ−ブタノール、メタノール、エタノール等）、界面活性剤、湿潤剤（例えば、ジオール類、グリセリン等）を含有することで、鹸化液の透明支持体に対する濡れ性、鹸化液の経時安定性等が良好となる。具体的には、例えば、特開２００２−８２２２６号公報、ＷＯ０２／４６８０９号公報に内容の記載が挙げられる。
【００７６】
表面処理の代わりに、表面処理に加えて下塗り層（特開平７−３３３４３３号公報記載）、或は疎水性基と親水性基との両方を含有するゼラチン等の樹脂層を一層のみ塗布する単層法第１層として高分子フィルムによく密着する層（以下、下塗第１層と略す）を設け、その上に第２層として配向膜とよく密着するゼラチン等の親水性の樹脂層（以下、下塗第２層と略す）を塗布する所謂重層法（例えば、特開平１１−２４８９４０号公報記載）の内容が挙げられる。
【実施例】
【００７７】
以下に実施例を挙げて本発明をさらに具体的に説明する。以下の実施例に示す材料、試薬、割合、操作等は、本発明の精神から逸脱しない限り適宜変更することができる。したがって、本発明の範囲は以下に示す実施例に制限されるものではない。
【００７８】
＜セルロースアセテートフィルムの作製＞
下記の組成物をミキシングタンクに投入し、加熱しながら攪拌して、各成分を溶解し、セルロースアセテート溶液を調製した。
セルロースアセテート溶液組成
酢化度６０．７〜６１．１％のセルロースアセテート  １００質量部
トリフェニルホスフェート（可塑剤）                ７．８質量部
ビフェニルジフェニルホスフェート（可塑剤）        ３．９質量部
メチレンクロライド（第１溶媒）                    ３３６質量部
メタノール（第２溶媒）                              ２９質量部
１−ブタノール（第３溶媒）                          １１質量部
【００７９】
別のミキシングタンクに、下記のレターデーション上昇剤１６質量部、メチレンクロライド９２質量部およびメタノール８質量部を投入し、加熱しながら攪拌して、レターデーション上昇剤溶液を調製した。セルロースアセテート溶液４７４質量部にレターデーション上昇剤溶液２５質量部を混合し、充分に攪拌してドープを調製した。レターデーション上昇剤の添加量は、セルロースアセテート１００質量部に対して、６．０質量部であった。
【００８０】
【化４】
2006293098.tif 000006
【００８１】
得られたドープを、バンド延伸機を用いて流延した。バンド上での膜面温度が４０℃となってから、７０℃の温風で１分間乾燥し、バンドからフィルムを１４０℃の乾燥風で１０分間乾燥し、残留溶剤量が０．３質量％のセルロースアセテートフィルム（厚さ：８０μｍ）を作製した。作製したセルロースアセテートフィルム（透明支持体、透明保護膜）について、自動複屈折計（ＫＯＢＲＡ  ２１ＡＤＨ、王子計測機器（株）製））を用いて、波長６３３ｎｍにおけるＲｅレターデーション値およびＲｔｈレターデーション値を測定した。Ｒｅは８ｎｍ、Ｒｔｈは７８ｎｍであった。作製したセルロースアセテートフィルムを２．０Ｎの水酸化カリウム溶液（２５℃）に２分間浸漬した後、硫酸で中和し、純水で水洗し、その後乾燥させた。こうして、透明保護膜用セルロースアセテートフィルムを作製した。
【００８２】
＜配向膜の形成＞
このセルロースアセテートフィルム上に、下記の組成の塗布液を＃１６のワイヤーバーコーターで２８ｍＬ／ｍ2塗布した。６０℃の温風で６０秒、さらに９０℃の温風で１５０秒乾燥した。次に、形成した膜に、セルロースアセテートフィルムの面内遅相軸（流延方向と平行方向）に平行な方向に配向するようにラビング処理を実施した（即ち、ラビング軸はセルロースアセテートフィルムの遅相軸と平行であった）。
配向膜塗布液組成
下記の変性ポリビニルアルコール                    ２０質量部
水                                              ３６０質量部
メタノール                                      １２０質量部
グルタルアルデヒド（架橋剤）                    １．０質量部
【００８３】
【化５】
2006293098.tif 000007
【００８４】
＜光学異方性層の形成＞
配向膜上に、下記の円盤状（液晶性）化合物９１．０ｇ、エチレンオキサイド変成トリメチロールプロパントリアクリレート（Ｖ＃３６０、大阪有機化学（株）製）９．０ｇ、セルロースアセテートブチレート（ＣＡＢ５５１−０．２、イーストマンケミカル社製）２．０ｇ、セルロースアセテートブチレート（ＣＡＢ５３１−１、イーストマンケミカル社製）０．５ｇ、光重合開始剤（イルガキュアー９０７、チバガイギー社製）３．０ｇ、増感剤（カヤキュアーＤＥＴＸ、日本化薬（株）製）１．０ｇ、フルオロ脂肪族基含有共重合体（メガファックＦ７８０  大日本インキ（株）製）の１．３ｇを、２０７ｇのメチルエチルケトンに溶解した塗布液を、＃３．６のワイヤーバーで６．２ｍｌ／ｍ2塗布した。これを１３０℃の恒温ゾーンで２分間加熱し、円盤状化合物を配向させた。次に、６０℃の雰囲気下で１２０Ｗ／ｃｍ高圧水銀灯を用いて、１分間ＵＶ照射し円盤状化合物を重合させた。その後、室温まで放冷した。このようにして、光学異方性層を形成し、光学補償フィルム１を作製した。
【００８５】
【化６】
2006293098.tif 000008
【００８６】
作製した光学異方性層において、円盤状液晶性化合物は、円盤面と透明保護膜とのなす角度（傾斜角）が、透明保護膜から空気界面に向かって増加しており、平均傾斜角３７°でハイブリッド配向していた。光学異方性層はシュリーレン等の欠陥がない均一な膜であった。形成された光学異方性層の厚みは１．７μｍであった。傾斜角は自動複屈折計（ＭＫＯＢＲＡ  ２１ＡＤＨ、王子計測機器（株）製）を用いて、観察角度を変えてレターデーションを測定し、屈折率楕円体モデルと仮想し、「Ｄｅｓｉｇｎｉｎｇ  Ｃｏｎｃｅｐｔｓ  ｏｆ  ｔｈｅ  Ｄｉｓｃｏｔｉｃ  Ｎｅｇａｔｉｖｅ  Ｂｉｒｅｆｒｉｎｇｅｎｃｅ  Ｃｏｍｐｅｎｓａｔｉｏｎ  Ｆｉｌｍｓ  ＳＩＤ９８  ＤＩＧＥＳＴ」に記載されている手法で算出した。
【００８７】
偏光板をクロスニコル配置とし、得られた光学補償フィルム１のムラを観察したところ、正面、および法線から６０°まで傾けた方向から見ても、ムラは検出できなかった。
得られた光学補償フィルム１の２枚を、双方の支持体の裏面（光学異方性層が形成されていない面）同士を粘着剤で貼り合わせ、図２（ｄ）に示す構成の光学補償フィルム２を作製した。光学補償フィルム２は、本発明の実施例である。
【００８８】
（偏光子の作製）
平均重合度４０００、鹸化度９９．８ｍｏｌ％のＰＶＡを水に溶解し、４．０％の水溶液を得た。この溶液をテーパーのついたダイを用いてバンド流延して乾燥し、延伸前の幅が１１０ｍｍで厚みは左端が１２０μｍ、右端が１３５μｍになるように製膜した。
このフィルムをバンドから剥ぎ取り、ドライ状態で４５度方向に斜め延伸してそのままよう素０．５ｇ／Ｌ、よう化カリウム５０ｇ／Ｌの水溶液中に３０℃で１分間浸漬し、次いでホウ酸１００ｇ／Ｌ、よう化カリウム６０ｇ／Ｌの水溶液中に７０℃で５分間浸漬し、さらに水洗槽で２０度で１０秒間水洗したのち８０℃で５分間乾燥してよう素系偏光子を得た。偏光子は、幅１３４０ｍｍ、厚みは左右とも２０μｍであった。
【００８９】
延伸したポリビニルアルコールフィルムに、ヨウ素を吸着させて偏光膜を作製し、ポリビニルアルコール系接着剤を用いて、作製した光学補償フィルム１を支持体面で偏光膜の片側に貼り付けた。また、厚さ８０μｍのセルローストリアセテートフィルム（ＴＤ−８０Ｕ、富士写真フイルム（株）製）にケン化処理を行い、ポリビニルアルコール系接着剤を用いて、偏光膜の反対側表面に貼り付けた。偏光膜の吸収軸と光学補償フィルム１の支持体の遅相軸（流延方向と平行方向）とは垂直になるように配置した。このようにして光学異方性層付き偏光板を作製した。
【００９０】
（ＴＮ液晶セルでの評価）
図１と同一の構成又は表１に示す様に若干構成を変更した３次元画像表示用液晶表示装置を種々作製した。偏光膜１１及び光学異方性層１２、及び偏光膜１７及び光学異方性層１６として、それぞれ上記で作製した光学異方性層付き偏光板を配置した。液晶セル１３及び１５として、市販の液晶表示装置（三菱電機  ＭＤ１９１ＳとＲＤＴ−１７１０Ｖ）に用いられている１９型又は１７型の液晶セルを用いた。１９型液晶セルと１７型液晶セルとでは、正面コントラスト比は１７型のほうが高く、また画素ピッチが異なっている。その液晶層のレターデーション、液晶のねじれの向きをシンテック（株）製汎用偏向解析装置Ｈ３３を用いて測定した。レターデーションは０．４μｍ程度、液晶セルは光源側から表示観察側に向けて、観察側から見て時計回りに約９０°ねじれていることを確認した。さらに光学補償層１４として、上記で作製した光学補償フィルム２を配置した。バックライトはＭＤ１９１Ｓに搭載されたものを用いた。このバックライトは、出射光の広がりが３０°であった（正面輝度を１００％とした場合、５０％以上の輝度が得られる範囲を出射光の広がりとする）。なお、偏光解消板１８は配置しなかった。
【００９１】
作製した液晶表示装置について、目視により３次元像の視認製の評価を行った。３次元視認性の欄の記号は、３次元視認性の優劣を示したものであり、×→△→○→◎の順により優れている。結果を表１に示す。
【００９２】
【表１】
2006293098.tif 000009
【００９３】
表１に示した結果より、液晶表示装置（１）〜（６）の構成では、良好な３次元画像が得られ、中でも特に液晶表示装置（１）〜（４）では、さらに良好な３次元画像が得られた。液晶表示装置（７）及び（８）は従来の２次元表示装置であり、比較例に相当する。
【図面の簡単な説明】
【００９４】
【図１】本発明の３次元表示可能な液晶表示装置の一例を示す概略図である。
【図２】本発明の光学補償フィルムの実施形態の概念図である。
【符号の説明】
【００９５】
１１      観察者側偏光膜
１２      光学異方性層
１３      観察者側液晶セル（第２の液晶セル）
１４      光学補償層
１５      光源側液晶セル（第１の液晶セル）
１６      光学異方性層
１７      光源側偏光膜
１８      偏光解消板
１９      光源
２０      第１の光学異方性層
２１      第１の光学異方性層の支持体
２２      第２の光学異方性層
２３      第２の光学異方性層の支持体
２４      液晶性化合物の分子
２５      液晶性化合物の分子
【図１】
2006293098.tif 000010
【図２】
2006293098.tif 000011